【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
第１の鏡筒部材と、
第１のレンズ群を保持する第２の鏡筒部材と、
前記第１のレンズ群とは異なる第２のレンズ群を保持する第３の鏡筒部材と、
前記第２の鏡筒部材または前記第３の鏡筒部材に一体的に形成され、前記第２の鏡筒部材に、変形による弾性力を、前記第２のレンズ群の光軸方向に加える弾性部と、
を有し、
前記第１の鏡筒部材と前記第２の鏡筒部材と前記第３の鏡筒部材は、前記光軸方向から前記レンズ鏡筒を見た際に前記第１の鏡筒部材の少なくとも一部と前記第２の鏡筒部材の少なくとも一部と前記第２の鏡筒部材の少なくとも一部とが互いに重なるように配置されており、
前記第２の鏡筒部材は、前記第１の鏡筒部材と前記第３の鏡筒部材の間に配置され、前記第１の鏡筒部材および前記第３の鏡筒部材の一方に接着され、接着される前は前記光軸方向に直交する方向の位置が調整可能であることを特徴とするレンズ鏡筒。
【請求項２】
第１のレンズ群を保持する第１の鏡筒部材と、
前記第１のレンズ群とは異なる第２のレンズ群を保持する第２の鏡筒部材と、
第３の鏡筒部材と、
前記第１の鏡筒部材または前記第２の鏡筒部材に一体的に形成され、前記第２の鏡筒部材に、変形による弾性力を、前記第２のレンズ群の光軸方向に加える弾性部と、を有し、
前記第２の鏡筒部材は、前記第１の鏡筒部材と前記第３の鏡筒部材の間に配置され、前記第１の鏡筒部材および前記第３の鏡筒部材の一方に接着され、接着される前は前記光軸方向に直交する方向の位置が調整可能であることを特徴とするレンズ鏡筒。
【請求項３】
前記第２の鏡筒部材は接着剤が塗布され、前記光軸方向と平行な方向に伸びる貫通穴を有し、前記第１の鏡筒部材および前記第３の鏡筒部材の前記一方は前記貫通穴に塗布された前記接着剤を受ける受け部を有することを特徴とする請求項１または２に記載のレンズ鏡筒。
【請求項４】
前記第２の鏡筒部材の前記光軸に直交する方向の位置が調整でき、かつ、前記弾性部による前記弾性力が前記第２の鏡筒部材に加わるように、前記第１の鏡筒部材および前記第３の鏡筒部材を互いに固定させる固定手段を有することを特徴とする請求項１乃至３のいずれか一項に記載のレンズ鏡筒。
【請求項５】
光量を調整する絞りユニットを有し、
前記光軸に直交する平面に前記第２の鏡筒部材および前記絞りユニットを投影した場合、前記光軸と、前記貫通穴の最も前記光軸に近い位置とを結ぶ線分を半径とし、前記光軸を中心とする円の内側に前記絞りユニットが設けられていることを特徴とする請求項３に記載のレンズ鏡筒。
【請求項６】
前記第１の鏡筒部材は第３のレンズ群を保持することを特徴とする請求項１に記載のレンズ鏡筒。
【請求項７】
前記光軸に直交する平面に前記第２の鏡筒部材を投影した場合、前記第２の鏡筒部材が工具と接触可能な前記第２の鏡筒部材の当接部の、前記光軸を中心とする角度範囲内で、前記弾性部が前記弾性力を加えることを特徴とする請求項１乃至６のうちいずれか１項に記載のレンズ鏡筒。
【請求項８】
前記光軸に直交する平面に前記第２の鏡筒部材を投影した場合、前記第２の鏡筒部材が工具と接触可能な前記第２の鏡筒部材の当接部の、前記光軸を中心とする角度範囲の外側に、前記貫通穴および前記接着剤を受ける受け部が設けられていることを特徴とする請求項３に記載のレンズ鏡筒。
【請求項９】
前記光軸に直交する平面に前記第２の鏡筒部材を投影した場合、前記絞りユニットのアクチュエータは工具当接部と重ならないように配置されていることを特徴とする請求項５に記載のレンズ鏡筒。
【請求項１０】
前記光軸に直交する平面に前記第２の鏡筒部材を投影した場合、前記絞りユニットのアクチュエータは前記貫通穴と重ならないように配置されていることを特徴とする請求項５に記載のレンズ鏡筒。
【請求項１１】
請求項１乃至１０のうちいずれか１項に記載のレンズ鏡筒を有することを特徴とする光学機器。
【請求項１２】
第１の鏡筒部材と、第１のレンズ群を保持する第２の鏡筒部材と、前記第１のレンズ群とは異なる第２のレンズ群を保持する第３の鏡筒部材と、前記第２の鏡筒部材および前記第３の鏡筒部材の１つに一体的に形成され、前記第２の鏡筒部材に、変形による弾性力を、前記第２のレンズ群の光軸方向に加える弾性部と、を有するレンズ鏡筒の製造方法であって、
前記第１の鏡筒部材と前記第２の鏡筒部材と前記第３の鏡筒部材は、前記光軸方向から前記レンズ鏡筒を見た際に前記第１の鏡筒部材の少なくとも一部と前記第２の鏡筒部材の少なくとも一部と前記第２の鏡筒部材の少なくとも一部とが互いに重なるように配置されており、
前記第２の鏡筒部材の前記光軸方向に直交する方向の位置が調整でき、かつ、前記弾性部による前記弾性力が前記第２の鏡筒部材に加わるように、前記第２の鏡筒部材を挟んだ状態で前記第１の鏡筒部材と前記第３の鏡筒部材を互いに固定させるステップと、
前記第２の鏡筒部材に工具を接触させて該工具を介して、前記第２の鏡筒部材の前記光軸方向と直交する前記方向の位置を調整するステップと、
前記第２の鏡筒部材を前記第１の鏡筒部材と前記第３の鏡筒部材の一方に接着するステップと、
を有することを特徴とするレンズ鏡筒の製造方法。
【請求項１３】
第１のレンズ群を保持する第１の鏡筒部材と、前記第１のレンズ群とは異なる第２のレンズ群を保持する第２の鏡筒部材と、第３の鏡筒部材と、前記第１の鏡筒部材および前記第２の鏡筒部材の１つに一体的に形成され、前記第２の鏡筒部材に、変形による弾性力を、前記第２のレンズ群の光軸方向に加える弾性部と、を有するレンズ鏡筒の製造方法であって、
前記第２の鏡筒部材の前記光軸方向に直交する方向の位置が調整でき、かつ、前記弾性部による前記弾性力が前記第２の鏡筒部材に加わるように、前記第２の鏡筒部材を挟んだ状態で前記第１の鏡筒部材と前記第３の鏡筒部材を互いに固定させるステップと、
前記第２の鏡筒部材に工具を接触させて該工具を介して、前記第２の鏡筒部材の前記光軸方向と直交する前記方向の位置を調整するステップと、
前記第２の鏡筒部材を前記第１の鏡筒部材と前記第３の鏡筒部材の一方に接着するステップと、
を有することを特徴とするレンズ鏡筒の製造方法。
【請求項１４】
前記光軸に直交する平面に前記第２の鏡筒部材を投影した場合、前記第２の鏡筒部材が前記工具と接触可能な前記第２の鏡筒部材の当接部の、前記光軸を中心とする角度範囲内で、前記弾性部が前記弾性力を加えることを特徴とする請求項１２または１３に記載のレンズ鏡筒の製造方法。
【請求項１５】
前記第２の鏡筒部材は接着剤が塗布され、前記光軸方向と平行に延びる貫通穴を有し、前記第１の鏡筒部材と前記第３の鏡筒部材の前記一方は前記貫通穴に塗布された前記接着剤を受ける受け部を有し、
前記光軸に直交する平面に前記第２の鏡筒部材を投影した場合、前記第２の鏡筒部材が前記工具と接触可能な前記第２の鏡筒部材の当接部の、前記光軸を中心とする角度範囲の外側に前記貫通穴は設けられ、
前記第２の鏡筒部材に前記工具を接触させた状態で、前記接着するステップが行われることを特徴とする請求項１２乃至１４のいずれか一項に記載のレンズ鏡筒の製造方法。
【請求項１６】
光量を調整する絞りを駆動するアクチュエータを有し、
前記光軸に直交する平面に前記第２の鏡筒部材を投影した場合、前記第２の鏡筒部材が前記工具と接触可能な前記第２の鏡筒部材の当接部の、前記光軸を中心とする角度範囲の外側に前記アクチュエータは設けられ、
前記アクチュエータが前記レンズ鏡筒に組み込まれた状態で、前記調整するステップが行われることを特徴とする請求項１２乃至１５のうちいずれか１項に記載のレンズ鏡筒の製造方法。
【請求項１７】
光量を調整する絞りを駆動するアクチュエータを有し、
前記光軸に直交する平面に前記第２の鏡筒部材を投影した場合、前記貫通穴の前記光軸を中心とする角度範囲の外側に前記アクチュエータは設けられ、
前記アクチュエータが前記レンズ鏡筒に組み込まれた状態で、前記接着するステップが行われることを特徴とする請求項１５に記載のレンズ鏡筒の製造方法。
【手続補正２】
【補正対象書類名】明細書
【補正対象項目名】０００７
【補正方法】変更
【補正の内容】
【０００７】
本発明のレンズ鏡筒は、第１の鏡筒部材と、第１のレンズ群を保持する第２の鏡筒部材と、前記第１のレンズ群とは異なる第２のレンズ群を保持する第３の鏡筒部材と、前記第２の鏡筒部材または前記第３の鏡筒部材に一体的に形成され、前記第２の鏡筒部材に、変形による弾性力を、前記第２のレンズ群の光軸方向に加える弾性部と、を有し、前記第１の鏡筒部材と前記第２の鏡筒部材と前記第３の鏡筒部材は、前記光軸方向から前記レンズ鏡筒を見た際に前記第１の鏡筒部材の少なくとも一部と前記第２の鏡筒部材の少なくとも一部と前記第２の鏡筒部材の少なくとも一部とが互いに重なるように配置されており、前記第２の鏡筒部材は、前記第１の鏡筒部材と前記第３の鏡筒部材の間に配置され、前記第１の鏡筒部材および前記第３の鏡筒部材の一方に接着され、接着される前は前記光軸方向に直交する方向の位置が調整可能であることを特徴とする。